(57)【要約】      （修正有）【課題】外反母趾等足の変形を予防矯正し、足指強化しながら足縦横アーチを形成する効果が著しく、且つ、ふくらはぎのストレッチになり足の血行を促進させ、冷え解消にもつながるストレッチサンダルの提供。【解決手段】足五指が自由に可動できるような位置にてカットし、爪先部をのせる前部底板部１’と爪先部以外の部位をのせる後部底板部１と、足五指を開かせソフトに足五指が固定出来る指股拡張具１５とよりなるものを用いる。前記前部底板部１’はその側縁に設けたベルト１２，１３で前記後部底板部１の側縁に取り付け可能になっており、後部底板部１には甲ベルトが設けられ、前記指股拡張具１５は前部底板部１’に取り付け可能になっている。又、下底板部３，３’の床面は舟底型にして前後にスウィング出来るようにしたことを特徴としたものである。【選択図】図１
0003116184.tif 000002
【実用新案登録請求の範囲】
【請求項１】
爪先部をのせる前部底板部１’と、爪先部以外の部位をのせる後部底板部１と、指股拡張具１５とよりなり、前記前部底板部１’はその側縁に設けたベルト１２，１３で、前記後部底板部１の側縁に取り付け可能となっている。
更に、後部底板部１には甲ベルトが設けられ、前記指股拡張具１５は前部底板部１’に取り付け可能となっている。又、下底板部３，３’の床面は舟底型にした健康ストレッチサンダル。
【考案の詳細な説明】
【技術分野】
【０００１】本考案は健康ストレッチサンダルに関するものである。
【背景技術】
【０００２】ハイヒール、足先の細く尖った靴を履くため、外反母趾等になり正常に歩くことが困難となる。又、足指も不活動で足縦横アーチが形成出来ていない人が多く、足の痛みに悩む人が多い。足指強化や足縦横アーチ形成に関する商品は少なく、又、外反母趾等を予防矯正する手段を備えた各種の装具やサンダルが考案されているが、いずれも足指が固定されておらず、ぐらぐらしているので効果が不十分である。【０００３】
【特許文献１】  特開２００２−３４５５０１号広報
【考案の開示】
【考案が解決しようとする課題】
【０００４】  そこで本考案は外反母趾等足の変形を予防矯正し、足指強化しながら足縦横アーチを形成する効果が著しく、且つ、ふくらはぎのストレッチになり足の血行を促進させ、冷え解消にもつながるストレッチサンダルの提供を課題とする。
【課題を解決するための手段】
【０００５】  上記課題を解決する為に本考案は足五指が自由に可動出来るような位置にてカットし、爪先部をのせる前部底板部１’と、爪先部以外の部位をのせる後部底板部１と、足五指を開かせソフトに足五指が固定できる指股拡張具１５とよりなるものを用いる。
前部底板部１’は、その側縁に設けたベルト１２，１３で後部底板部１の側縁に取り付け可能になっており、後部底板部１には甲ベルトが設けられ、前記指股拡張具１５は前部底板部１’に取り付け可能になっている。又、下底板部３，３’の床面は舟底型にして前後にスウィング出来るようにした事を特徴としたものである。
【考案の効果】
【０００６】  爪先部をのせる前部底板部１’と、爪先部以外の部位をのせる後部底板部１とを分離させたことにより、後部底板部１のみを使用する時は足５指が自由に可動出来、後部底板部１の下底板３を舟底型に前後勾配を付け、スウィングさせることにより履きながら前方向に傾き、その時自然に足五指には力が加わり縮む動作を行うようになり足指強化することが出来ると同時に足裏の筋力もアップし、足縦横アーチ形成に効果がある。又後部底板部１の上面前部の足裏ツボ湧泉に接触する隆起丘部４を設ける事によりより一層足縦横アーチ形成に効果倍増となる。更に後方向に傾いた時はふくらはぎが伸びストレッチ運動が加わり、前後スウィングすることにより前述の繰り返しが行われ、足の指圧効果も得て血行を促進させ冷え解消にも効果が得られる。【０００７】  次に縮んだ足五指を広げるため、各指股部には仕切壁１７，１８，１９，２０を設けた指股拡張具１５を前部底板部１’にドッキングさせ、更に後部底板部１をもドッキングさせて使用するが、指股拡張具１５は足指先から覆い、且つ、足五指の足指先端部がそれぞれ扇形に開くようにすることにより、足指がぐらついたり、足第１指、足第５指が足指中央に寄ったりする外反母趾、内反小趾を予防矯正するのに十分な効果がある。
尚、指股各拡張具１５を使用する時、放射状になった各々足五指の中足骨までもが開かないようにする為、幅広輪ベルトをサポーターとして必ず用いる事とする。
【考案を実施するための最良の形態】
【０００８】  以下実施例を示して本考案の構成と作用について説明する
【実施例】
【０００９】  図１は足五指が自由に可動出来るような位置にてカットし、爪先部をのせる前部底板部１’と、爪先部以外の部位をのせる後部底板部１と、足五指に用いる指股拡張具１５との分解図で、符号１は足にソフトで弾力性を有する上底板２と膝にも優しい弾力性と伸縮性を備えた下底板３の二層構造からなり、後部底板部１の前側縁部から両サイド中央部まで強力マジックテープ９を取り付け、前部両サイドそれぞれの一端部を接合し、他端部はマジックテープ７，８により重ね合わせ着脱自在とし、各人の足に合うようフィットさせるための甲ベルト５，６とする。
尚、甲ベルト５，６は少しの伸縮性のある素材を用いることが出来る。
又、後部底板部１の上面前部分の足裏ツボ湧泉に接触する隆起丘部４を設けてあるが各自足裏ツボ湧泉に合わせることが出来るよう着脱自在にすることも可能であり、圧縮された時でも指圧効果を有するしっかりとした弾力性のある素材構造にすることが出来る。【００１０】  前部底板部１’で下底板３’の左右両先端に強度の大きい素材を用いたベルト１２，１３を設け、その内側縁に強力マジックテープ１０，１１を付け、前部底板部１’と後部底板部１とをドッキングさせ固定させることが出来る。
前部底板部１’の上面前部にも指股拡張具１５をドッキングさせるためソフトマジックテープ１４を付けておく。上底板２’と下底板３’は、それぞれ前記上底板２，下底板３と同じである。【００１１】  足指先から覆い、且つ、足五指先端部をそれぞれ扇形に開かせるよう各指股部に装着する仕切壁１７，１８，１９，２０を設けた指股拡張具１５は、第１指と第２指との仕切壁１７が他の仕切壁より一番広く、第４指と第５指との仕切壁２０を２番目に広くし第２指と第３指との仕切壁１８及び、第３指と第４指との仕切壁１９は同等幅で３番目の広さか、若しくは、仕切壁１９を一番幅狭くすることが出来る。又、指股拡張具１５の足指先覆い部の底部前面にソフトマジックテープ１６を付け、前部底板部１’に指股拡張具１５を取り付け、更に図２のように後部底板部１をドッキングさせて用いる。
デリケートな足指に装着させるため、柔らかくソフトでしかも弾力性に富んだ素材を使用し、仕切壁１７，１８，１９，２０は少し長くし、各人の足指に合わせてカット出来るようにも可能である。尚、指股拡張具１５を使用する時、放射状になった各々足五指の中足骨までもが開かないようにするため幅広輪ベルトをサポーターとして必ず用い、更に、甲ベルト５，６を用いることで、より安定する。【００１２】  図３  下底板部３はスウィングさせるため、符号イ，ロ間を約３等分し、符号Ａ部，Ｃ部に勾配を付け舟底型にする。前部底板部１’と後部底板部１とをドッキングさせた時前部下底板部３’の厚さ，勾配は符号Ａ部の延長とすることができる。
尚、符号Ａ部，Ｃ部前後の厚さ，勾配は同等でも前後違えても可能である。
【図面の簡単な説明】
【００１３】
【図１】    健康ストレッチサンダルの甲ベルトを開いた状態の分解斜視図
【図２】    図１をドッキングした健康ストレッチサンダルの斜視図
【図３】    後部底板部１のみ甲ベルトを閉じた状態の斜視図及び、勾配図
【図４】    前部底板部１’に指股拡張具１５をドッキングした参考図
【図５】    後部底板部１を使用した時の参考図
【図６】    指股拡張具１５とサポーター使用時の参考図
【符号の説明】
【００１４】１，１’                              底板
２，２’                              上底板
３，３’                              下底板
４                                    隆起丘部
５，６                                甲ベルト
７，８，９，１０，１１，１４，１６    マジックテープ
１２，１３                            ベルト
１５                                  指股拡張具
１７，１８，１９，２０                仕切壁
【図１】
0003116184.tif 000003
【図２】
0003116184.tif 000004
【図３】
0003116184.tif 000005
【図４】
0003116184.tif 000006
【図５】
0003116184.tif 000007
【図６】
0003116184.tif 000008